【手続補正書】
【提出日】平成28年7月22日(2016.7.22)
【手続補正１】
【補正対象書類名】明細書
【補正対象項目名】発明の名称
【補正方法】変更
【補正の内容】
【発明の名称】受電装置、送電装置およびそれらの制御方法並びにプログラム
【手続補正２】
【補正対象書類名】明細書
【補正対象項目名】０００６
【補正方法】変更
【補正の内容】
【０００６】
上述の問題点を解決するため、本発明に係る送電装置は以下の構成を備える。すなわち、送電装置は、第１アンテナから出力される電磁波を用いて電力を送信する送電手段と、前記第１アンテナから出力される電磁波を用いて通信する第１通信手段と、前記第１アンテナと異なる第２アンテナを用いて通信する第２通信手段と、前記第１通信手段を用いて通信された所定の情報を用いて前記第２通信手段により接続した受電装置に対して、前記送電手段により送電を行わせる制御手段と、を有する。また、受電装置は、第１アンテナに入力される電磁波を用いて電力を受信する受電手段と、前記第１アンテナに入力される電磁波を用いて通信する第１通信手段と、前記第１アンテナと異なる第２アンテナを用いて通信する第２通信手段と、を有し、前記受電手段は、前記第１通信手段を用いて通信された所定の情報を用いて前記第２通信手段により接続した送電装置から受電を行う。
【手続補正３】
【補正対象書類名】特許請求の範囲
【補正対象項目名】全文
【補正方法】変更
【補正の内容】
【特許請求の範囲】
【請求項１】
第１アンテナから出力される電磁波を用いて電力を送信する送電手段と、
前記第１アンテナから出力される電磁波を用いて通信する第１通信手段と、
前記第１アンテナと異なる第２アンテナを用いて通信する第２通信手段と、
前記第１通信手段を用いて通信された所定の情報を用いて前記第２通信手段により接続した受電装置に対して、前記送電手段により送電を行わせる制御手段と、
を有することを特徴とする送電装置。
【請求項２】
前記制御手段は、前記第１通信手段を用いて通信された前記所定の情報を用いずに前記第２通信手段により接続した受電装置にする前記送電手段による送電を制限する
ことを特徴とする請求項１に記載の送電装置。
【請求項３】
前記制御手段は、前記第２通信手段により接続した受電装置から無線電力伝送に対応していることを示す情報を取得できた場合、当該受電装置に対して前記送電手段により送電を行わせる
ことを特徴とする請求項１又は２に記載の送電装置。
【請求項４】
インピーダンス変化に基づいて前記送電手段の送電範囲に存在する物体を検出する検出手段を更に有し、
前記検出手段による物体の検出に応じて、前記制御手段は、前記第２通信手段による通信が開始されない場合、前記物体に対する前記送電手段による送電を制限する
ことを特徴とする請求項１乃至３の何れか１項に記載の送電装置。
【請求項５】
前記第２通信手段により接続した受電装置に対して、インピーダンスを変化させるように指示する指示手段を更に有し、
前記検出手段は、前記指示手段による指示の後に前記送電手段の送電範囲に存在する物体を検出する
ことを特徴とする請求項４に記載の送電装置。
【請求項６】
前記送電手段から前記受電装置への送電の伝送効率を取得する取得手段と、
前記取得手段により取得された伝送効率に基づいて、前記送電手段による送電の伝送効率を調整する調整手段と、
を更に有することを特徴とする請求項１乃至５の何れか１項に記載の送電装置。
【請求項７】
前記第２通信手段による通信により受電装置の受電パラメータを取得する取得手段を更に有し、
前記送電手段は、前記取得手段により取得された前記受電パラメータに従って、当該受電装置に送電する
ことを特徴とする請求項１乃至５の何れか１項に記載の送電装置。
【請求項８】
前記第１通信手段は、前記送電手段により第１受電装置に送電を行っている際に第２受電装置が前記送電手段の送電範囲にある場合、前記所定の情報を通信し、
前記制御手段は、前記第１通信手段を用いて通信された前記所定の情報を前記第２通信手段により前記第２受電装置と通信した場合、前記第１受電装置と前記第２受電装置とに対して、前記送電手段により送電を行わせる
ことを特徴とする請求項１乃至７の何れか１項に記載の送電装置。
【請求項９】
前記第１通信手段の通信に用いる周波数と前記第２通信手段による通信に用いる周波数とは異なる
ことを特徴とする請求項１乃至８の何れか１項に記載の送電装置。
【請求項１０】
前記第１通信手段は、前記所定の情報を送信または受信する
ことを特徴とする請求項１乃至９の何れか１項に記載の送電装置。
【請求項１１】
前記第２通信手段は、Ｂｌｕｅｔｏｏｔｈ、Ｂｌｕｅｔｏｏｔｈ  ＬｏｗＥｎｅｒｇｙまたはＷｉ−Ｆｉ規格に従って通信する
ことを特徴とする請求項１乃至１０の何れか１項に記載の送電装置。
【請求項１２】
第１アンテナに入力される電磁波を用いて電力を受信する受電手段と、
前記第１アンテナに入力される電磁波を用いて通信する第１通信手段と、
前記第１アンテナと異なる第２アンテナを用いて通信する第２通信手段と、
を有し、
前記受電手段は、前記第１通信手段を用いて通信された所定の情報を用いて前記第２通信手段により接続した送電装置から受電を行う
ことを特徴とする受電装置。
【請求項１３】
前記受電装置は、前記第１通信手段を用いて通信された前記所定の情報を用いずに前記第２通信手段により接続した送電装置から前記受電手段による受電を行わない
ことを特徴とする請求項１２に記載の受電装置。
【請求項１４】
前記第２通信手段は、前記受電装置の受電パラメータを前記送電装置に送信する
ことを特徴とする請求項１２又は１３に記載の受電装置。
【請求項１５】
前記送電装置からの指示に従ってインピーダンスを変化させる手段を更に有する
ことを特徴とする請求項１２乃至１４の何れか１項に記載の受電装置。
【請求項１６】
前記第１通信手段は、前記所定の情報を送信または受信する
ことを特徴とする請求項１２乃至１５の何れか１項に記載の受電装置。
【請求項１７】
前記第２通信手段は、Ｂｌｕｅｔｏｏｔｈ、Ｂｌｕｅｔｏｏｔｈ  ＬｏｗＥｎｅｒｇｙまたはＷｉ−Ｆｉ規格に従って通信する
ことを特徴とする請求項１２乃至１６の何れか１項に記載の受電装置。
【請求項１８】
第１アンテナから出力される電磁波を用いて電力を送信する送電部を有する送電装置の制御方法であって、
前記第１アンテナから出力される電磁波を用いて通信する第１通信工程と、
前記第１アンテナと異なる第２アンテナを用いて通信する第２通信工程と、
前記第１アンテナを介して通信された所定の情報を用いて前記第２アンテナを介して接続した受電装置に対する送電を、前記送電部により行わせる制御工程と、
を含むことを特徴とする送電装置の制御方法。
【請求項１９】
第１アンテナから出力される電磁波を用いて電力を送信する送電部を有する送電装置の制御方法をコンピュータに実行させるプログラムであって、
前記制御方法は、
前記第１アンテナから出力される電磁波を用いて通信する第１通信工程と、
前記第１アンテナと異なる第２アンテナを用いて通信する第２通信工程と、
前記第１アンテナを介して通信された所定の情報を用いて前記第２アンテナを介して接続した受電装置に対する送電を、前記送電部により行わせる制御工程と、
を含むことを特徴とするプログラム。
【請求項２０】
第１アンテナに入力される電磁波を用いて電力を受信する受電部を有する受電装置の制御方法であって、
前記第１アンテナに入力される電磁波を用いて通信する第１通信工程と、
前記第１アンテナと異なる第２アンテナを用いて通信する第２通信工程と、
前記第１アンテナを介して通信された所定の情報を用いて前記第２アンテナを介して接続した送電装置からの受電を、前記受電部により行わせる制御工程と、
を含むを特徴とする受電装置の制御方法。
【請求項２１】
第１アンテナに入力される電磁波を用いて電力を受信する受電部を有する受電装置の制御方法をコンピュータに実行させるプログラムであって、
前記制御方法は、
前記第１アンテナに入力される電磁波を用いて通信する第１通信工程と、
前記第１アンテナと異なる第２アンテナを用いて通信する第２通信工程と、
前記第１アンテナを介して通信された所定の情報を用いて前記第２アンテナを介して接続した送電装置からの受電を、前記受電部により行わせる制御工程と、
を含むことを特徴とするプログラム。